(57)【要約】【課題】点状光源であるＬＥＤを用いて導光板等を用いることなく拡散光を得ることを目的とする。【解決手段】ＬＥＤ２は青色、青紫色あるいは紫外線の光を放出する。蛍光体シート４はＬＥＤ２が放出する光を励起光として他の可視光に波長変換する。ＬＥＤ２が放出した光と、蛍光体シート４が波長変換した光とがラッパ状の取付部６（６ａ）と取付面９とに照射される。さらに、取付部６（６ａ）で反射した光と取付面９で反射した光とが交差する。波長の異なるＬＥＤ２が放出した光と、蛍光体シート４が波長変換した光とが交差して所望の拡散光を得る。【選択図】図１
2008218112.tif 000002
【特許請求の範囲】
【請求項１】
取付面に取り付けられる照明器具において、
青色、青紫色あるいは紫外線の光を放出するＬＥＤ（Ｌｉｇｈｔ−Ｅｍｉｔｔｉｎｇ  Ｄｉｏｄｅ）を有する光源部と、
上記光源部が放出する光を励起光として他の可視光に波長変換する波長変換部と、
上記光源部が放出した光と上記波長変換部が波長変換した可視光とを透過しない上記波長変換部の取付面を含む不透過面を有し、周縁部に上記光源部と上記波長変換部とが離れて取り付けられる光源基台と、
上記光源部と上記波長変換部とが上記不透過面と上記取付面との間になるように、上記光源基台の中央部に一端部が取り付けられるとともに、上記取付面に他端部が取り付けられる取付部と
を備えることを特徴とする照明器具。
【請求項２】
上記波長変換部は、上記光源基台に着脱自在に取り付けられる
ことを特長とする請求項１記載の照明器具。
【請求項３】
上記波長変換部は、異なる蛍光体により構成される
ことを特徴とする請求項１記載の照明器具。
【請求項４】
上記照明器具は、さらに、
上記光源部が放出した光と上記波長変換部が波長変換した可視光との内、所定の波長の光を遮断する光学フィルター
を備えることを特長とする請求項１記載の照明器具。
【請求項５】
上記光源基台は、円筒状の側面と、上記側面の一端に形成された底面とを有し、上記側面の周の内側に上記光源部が取り付けられるとともに、上記底面の上記側面側の面の周縁に上記波長変換部が取り付けられ、上記底面の上記側面側の面の中央部に上記取付部が取り付けられる
ことを特徴とする請求項１記載の照明器具。
【請求項６】
取付面に取り付けられる照明器具において、
光を透過しないお盆状に形成された光源基台と、
上記光源基台の側面内側に設けられ、青色、青紫色あるいは紫外線の光を放出するＬＥＤ（Ｌｉｇｈｔ−Ｅｍｉｔｔｉｎｇ  Ｄｉｏｄｅ）を有する光源部と、
上記光源基台の底面内側の周縁部に設けられ、上記光源部が放出する光を励起光として他の可視光に波長変換する波長変換部と、
上記光源基台の底面内側の中央部に一端が設けられ、上記取付面に他端部が取り付けられる取付部と
を備えることを特徴とする照明器具。
【請求項７】
上記光源基台は、底面の断面が上記中央部を頂上とする富士山状に形成された
ことを特徴とする請求項６記載の照明器具。
【請求項８】
上記取付部は、上記光源基台側から上記取付面側へ向かって広がるラッパ状に形成された
ことを特徴とする請求項１又は請求項６のいずれか記載の照明器具。
【発明の詳細な説明】
【技術分野】
【０００１】
本発明は、例えば、点状光源であるＬＥＤ（Ｌｉｇｈｔ−Ｅｍｉｔｔｉｎｇ  Ｄｉｏｄｅ）を用いて、面状光源を得る技術に関する。
【背景技術】
【０００２】
従来、ＬＥＤを光源として用いる場合、一個当たりの光束が小さい。そのため、一般に複数のＬＥＤを集積して実用光源とする。しかし、ＬＥＤの集積体は外部から見ると光源が点状に見え、蛍光ランプが放つ拡散光とは異なる。ＬＥＤからの光を拡散光にすることはＬＥＤの面状光源化として試みられている。特許文献１によれば青色ＬＥＤの光を波長変換体を介して白色光に変換し、この白色光を導光板により広げ、面状光源としている。この広がった光を拡散光と見なしている。
【特許文献１】特開平１０−２６９８２２号公報
【特許文献２】特開２００６−１７９６５８号公報
【発明の開示】
【発明が解決しようとする課題】
【０００３】
しかし、特許文献１の方法では、アクリル樹脂に代表される導光板が必要である。そのため、部品点数が多くなり、効率的な構成ではない。
本発明は、例えば、点状光源であるＬＥＤを用いて導光板等を用いることなく拡散光を得ることを目的とする。
【課題を解決するための手段】
【０００４】
本発明に係る照明器具は、例えば、取付面に取り付けられる照明器具において、
青色、青紫色あるいは紫外線の光を放出するＬＥＤ（Ｌｉｇｈｔ−Ｅｍｉｔｔｉｎｇ  Ｄｉｏｄｅ）を有する光源部と、
上記光源部が放出する光を励起光として他の可視光に波長変換する波長変換部と、
上記光源部が放出した光と上記波長変換部が波長変換した可視光とを透過しない上記波長変換部の取付面を含む不透過面を有し、周縁部に上記光源部と上記波長変換部とが離れて取り付けられる光源基台と、
上記光源部と上記波長変換部とが上記不透過面と上記取付面との間になるように、上記光源基台の中央部に一端部が取り付けられるとともに、上記取付面に他端部が取り付けられる取付部と
を備えることを特徴とする。
【発明の効果】
【０００５】
本発明に係る照明器具は、例えば、ＬＥＤと波長変換部とが離れて独立に照明器具の部品として構成配置される。また、光源部が放出した光と上記波長変換部が波長変換した可視光とが取付面側に拡散される。そのため、導光板を用いることなく大面積の拡散光を得ることができる。
【発明を実施するための最良の形態】
【０００６】
実施の形態１．
図１、図２に基づき実施の形態１に係る照明器具について説明する。図１は、実施の形態１に係る照明器具の断面図である。図２は、実施の形態１に係る照明器具の分解斜視図である。図１は、図２に示す照明器具を組み立てた場合のＡ−Ａ’断面図である。
【０００７】
実施の形態１に係る照明器具は、ＬＥＤ基板アレー１（光源部）、ＬＥＤ２、光源基台３、蛍光体シート４（波長変換部）、意匠部材５、取付部６（６ａ，６ｂ，６ｃ，６ｄ，６ｅ）、光学フィルター７を備える。実施の形態１に係る照明器具は、取付面９に取り付けられる。
ＬＥＤ基板アレー１は、ＬＥＤ２を複数個実装する。
ＬＥＤ２は、青色、青紫色あるいは紫外線の光を放出する。
光源基台３は、円筒状、底面が円や六角形、八角形等の多角形のお盆状に形成される。つまり、光源基台３は側面と、この側面の一端に底面とが形成される。また、図１に示すように、光源基台３の断面は富士山状であり、その頂上部分を中央部と呼び、その他の部分を周縁部と呼ぶ。光源基台３の側面の内側にはＬＥＤ基板アレー１が複数個配置される。また、光源基台３の底面の側面側の面の周縁部には、蛍光体シート４が貼付される。つまり、蛍光体シート４は、ＬＥＤ基板アレー１に設けられたＬＥＤ２が放出した光が届くところに、ＬＥＤ基板アレー１と離れて独立に配置される。また、光源基台３は、ＬＥＤ２が放出した光と蛍光体シート４が波長変換した可視光とを透過しない。つまり、光源基台３はＬＥＤ２が放出した光と蛍光体シート４が波長変換した可視光とを透過しない不透過面を有する。例えば、光源基台３がＬＥＤ２が放出した光と蛍光体シート４が波長変換した可視光とを透過しないしない材質で形成されているとしても構わない。また、後述する意匠部材５が不透過面であるとしても構わない。さらに、この不透過面はＬＥＤ２が放出した光と蛍光体シート４が波長変換した可視光とを反射するとしても構わない。
蛍光体シート４は、ＬＥＤ基板アレー１に実装されたＬＥＤ２が放出した青色、青紫色または紫外線を受光し、これを励起光として波長変換により白色光等の可視光に変換する。光源基台３にシート状の蛍光体シート４を貼付するのではなく、光源基台３に蛍光体を直接塗装してもよい。
意匠部材５は、光源基台３を覆う中空の円筒状部材である。
取付部６は、ＬＥＤ基板アレー１と蛍光体シート４とが不透過面と取付面９との間になるように、光源基台３を取付面９に取り付ける。つまり、取付部６の一端は光源基台３のＬＥＤ基板アレー１が配置された側面側の底面の中央部に取り付けられ、他端は取付面９に取り付けられる。取付部６は、光源基台３に取り付けられる基台取付部６ａと取付面９に取り付けられる円板状の取付金具６ｂとを備える。基台取付部６ａは、光源基台３に基台取付ネジ８（８ａ，８ｂ）によりネジ止めされる。取付金具６ｂは、取付面９にネジ穴１１ａ，１１ｂを介して取付金具取付ネジ１０（１０ａ，１０ｂ）によりネジ止めされる。基台取付部６ａと取付金具６ｂとは、基台取付部６ａの凹部６ｄに取付金具６ｂの円筒状突出部６ｅを挿入し、ネジ６ｃにより固定される。また、取付部６は、中央に中空の筒部を有し、光源基台３側から取付面９側へ向かって広がるラッパ状に形成される。
光学フィルター７は、ＬＥＤ２が放出した光と蛍光体シート４が波長変換した可視光との内、所定の波長の光を遮断する。光学フィルター７は、外部へ所定の波長の光が漏れるのを防止するため、ＬＥＤ２及び蛍光体シート４と取付面９との間に設けられる。
【０００８】
実施の形態１に係る照明器具ではＬＥＤ２から放射された青色、青紫色または紫外線を蛍光体シート４で波長変換しこの変換された拡散光が取付面９に照射されることによりスポットのない比較的均一照度の明るさを取付面９にもたらす。そして、取付面９を介して光を見ることで、蛍光灯のような広範囲の拡散光と認識される。
ここで、ＬＥＤ２から放射された光は、すべてが蛍光体シート４により波長変換されるわけではない。つまり、ＬＥＤ２から放射された光の一部は外部へ放射される。このＬＥＤ２から放射された光と蛍光体シート４により例えば黄色光に波長変換された光とが混ざることで白色光等となる。実施の形態１に係る照明器具では、ＬＥＤ２から放射された光と蛍光体シート４で波長変換された光とは、ラッパ状に傾斜した取付部６の傾斜面と、取付面９とにより反射される。傾斜面で反射された光と取付面９とにより反射された光とは反射角の違う。そのため、傾斜面で反射された光と取付面９とにより反射された光とは交わりあう。したがって、取付部６がラッパ状に傾斜することにより、拡散光を色斑なく所望の色とすることが可能となる。
【０００９】
また、実施の形態１に係る照明器具では、蛍光体シート４に含まれる蛍光体の種類を変更することにより、各種の色光を実現できる。さらに、蛍光体シート４を着脱可能とすることで、任意の色光に変更することが可能である。
【００１０】
実施の形態２．
図３に基づき実施の形態２に係る照明器具について説明する。図３は、実施の形態２に係る照明器具の分解斜視図である。
実施の形態２に係る照明器具では、光源基台３と意匠部材５を円筒ではなく角柱状に形成する。このようにすることで、ＬＥＤ２と意匠部材５との距離が短くなり、ＬＥＤ２から外部への熱伝導経路が短くなる。そのため、ＬＥＤ２の温度上昇を防止することができる。
【図面の簡単な説明】
【００１１】
【図１】実施の形態１に係る照明器具の断面図。
【図２】実施の形態１に係る照明器具の分解斜視図。
【図３】実施の形態２に係る照明器具の分解斜視図。
【符号の説明】
【００１２】
１  ＬＥＤ基板アレー、２  ＬＥＤ、３  光源基台、４  蛍光体シート、５  意匠部材、６  取付部、６ａ  基台取付部、６ｂ  取付金具、６ｃ  ネジ、６ｄ  基台取付部６ａの凹部、６ｅ  取付金具６ｂの円筒状突出部、７  光学フィルター、８  基台取付ネジ、９  取付面、１０  取付金具取付ネジ。
【図１】
2008218112.tif 000003
【図２】
2008218112.tif 000004
【図３】
2008218112.tif 000005